(57)【特許請求の範囲】
【請求項１】
前端側にハンドルヘッドおよび後端側に把持部を有するハンドルと、前記ハンドルヘッドの腹側に取り付けられるバックプレートと、前記ハンドルヘッドと前記バックプレートの間に挟持される、ラバーを保持したチャンネルとを有するスクイジーにおいて、
前記スクイジーの、前記把持部よりも前端側の部分であって、前記ハンドルヘッドと前記バックプレートを含みかつ前記チャンネルを除く部分をスクイジーヘッドと定義して、
前記スクイジーは、前記ハンドルヘッドに前記バックプレートを取り付けた状態で前記スクイジーヘッドにウォッシャーを取り付け可能にする、ウォッシャー取付部を有し、
前記ウォッシャーは、含浸体と、該含浸体を支持する含浸体支持部材とを有するものであり、
前記ウォッシャー取付部は、前記含浸体支持部材を前記スクイジーヘッドに着脱自在に取り付ける、該スクイジーヘッドの部位であり、
前記ウォッシャー取付部は、前記スクイジーヘッドの、前記ハンドルヘッドと前記バックプレートが重なり合う領域を外れた領域に配置されている
ことを特徴とするスクイジー。
【請求項２】
前記ウォッシャー取付部は、前記ウォッシャーを前記スクイジーヘッドに取り付けるためのねじを挿通させるねじ通し穴、または該ねじをねじ込むねじ穴を有することを特徴とする請求項１に記載のスクイジー。
【請求項３】
請求項１または２に記載のスクイジーに適用されるウォッシャー取付部品であって、
前記ウォッシャー取付部品は前記ウォッシャー取付部を有し、
前記ウォッシャー取付部品は前記スクイジーヘッドに取り付けられて該スクイジーヘッドの一部を構成するものである
ことを特徴とするウォッシャー取付部品。
【請求項４】
前記ウォッシャー取付部品は、前記ウォッシャー取付部のほか、該ウォッシャー取付部品を前記スクイジーヘッドに取り付けることを可能にするスクイジー取付部を有し、
前記ウォッシャー取付部は、前記ウォッシャー取付部品を前記スクイジー取付部にて前記スクイジーヘッドに取り付けた状態で、該ウォッシャー取付部品に前記ウォッシャーを取り付けることを可能にするものである
ことを特徴とする請求項３に記載のウォッシャー取付部品。
【請求項５】
前記ウォッシャー取付部品は、該ウォッシャー取付部品が前記スクイジーヘッドに取り付けられた状態で、前記ハンドルヘッドおよび前記バックプレートの左右両側方に張り出した領域を構成する左右の張り出し部を有し、
前記左右の張り出し部は前記ウォッシャー取付部を有する
ことを特徴とする請求項３または４に記載のウォッシャー取付部品。
【請求項６】
前記ウォッシャー取付部品は、前記ハンドルヘッドに前記バックプレートを取り付けるのに伴い前記スクイジーに取り付けられる構造を有することを特徴とする請求項３から５のいずれか１つに記載のウォッシャー取付部品。
【請求項７】
前記ウォッシャー取付部品は、前記ハンドルヘッドの背側すなわち該ハンドルヘッドの前記バックプレートに対向する面とは反対の面側、または前記ハンドルヘッドと前記バックプレートの間、または前記バックプレートの腹側すなわち該バックプレートの前記ハンドルヘッドに対向する面とは反対の面側に配置された状態で、前記スクイジーに取り付けられるものであることを特徴とする請求項３から６のいずれか１つに記載のウォッシャー取付部品。
【請求項８】
請求項１または２に記載のスクイジーに適用される前記ハンドルであって、
該ハンドルは前記ウォッシャー取付部を一体に有する
ことを特徴とするハンドル。
【請求項９】
請求項１または２に記載のスクイジーに適用される前記バックプレートであって、
該バックプレートは前記ウォッシャー取付部を一体に有する
ことを特徴とするバックプレート。
【請求項１０】
スクイジーにウォッシャーを着脱自在に取り付け可能にするウォッシャー取付部品であって、
前記ウォッシャーは、含浸体と、該含浸体を支持する含浸体支持部材とを有するものであり、
前記ウォッシャー取付部品は、前記スクイジーに取り付けられると共に、前記含浸体支持部材が取り付けられるものであり、
前記ウォッシャー取付部品は、
該ウォッシャー取付部品に前記含浸体支持部材が取り付けられていない状態で、該ウォッシャー取付部品を前記スクイジーに取り付けることを可能にするスクイジー取付部と、
該ウォッシャー取付部品を前記スクイジー取付部にて前記スクイジーに取り付けた状態で、該ウォッシャー取付部品に前記含浸体支持部材を着脱自在に取り付けることを可能にするウォッシャー取付部を有し、
前記スクイジーは、前端側にハンドルヘッドおよび後端側に把持部を有するハンドルと、前記ハンドルヘッドの腹側に取り付けられるバックプレートと、前記ハンドルヘッドと前記バックプレートの間に挟持される、ラバーを保持したチャンネルを有するものであり、
前記ウォッシャー取付部品が前記スクイジーに取り付けられた状態で、前記スクイジー取付部は前記ハンドルヘッドと前記バックプレートが重なり合う領域に配置され、前記ウォッシャー取付部は該領域を外れた領域に配置される
ことを特徴とするウォッシャー取付部品。
【請求項１１】
前記ウォッシャー取付部品は、前記ハンドルヘッドに前記バックプレートを取り付けるのに伴い、前記スクイジー取付部にて前記スクイジーに取り付けられる構造を有することを特徴とする請求項１０に記載のウォッシャー取付部品。
【請求項１２】
請求項１０または１１に記載のウォッシャー取付部品に着脱自在に取り付けられる請求項１０に記載の含浸体支持部材であることを特徴とする含浸体支持部材。
【発明の詳細な説明】
【技術分野】
【０００１】
この発明は窓ガラスの清掃用具であるスクイジーおよびその部品に関する。
【背景技術】
【０００２】
下記特許文献１，２にはスクイジーヘッドにウォッシャーを取り付ける技術が記載されている。
【先行技術文献】
【特許文献】
【０００３】
【特許文献１】特開２０１０−２１３７３２号公報
【特許文献２】特開２０１２−０４００６６号公報
【発明の概要】
【発明が解決しようとする課題】
【０００４】
特許文献１，２に実施形態として記載された具体的構造は、いずれも、ハンドルヘッドとバックプレートを連結した状態でウォッシャーをスクイジーヘッドに取り付けることはできなかった。
【０００５】
この発明は、ハンドルヘッドとバックプレートを連結した状態でスクイジーヘッドにウォッシャーを取り付けることを可能にしたスクイジーおよびその部品を提供するものである。
【課題を解決するための手段】
【０００６】
この発明のスクイジーは、前端側にハンドルヘッドおよび後端側に把持部を有するハンドルと、前記ハンドルヘッドの腹側に取り付けられるバックプレートを有し、前記ハンドルヘッドと前記バックプレートの間に、ラバーを保持したチャンネルを挟持するスクイジーにおいて、前記スクイジーの、前記把持部よりも前端側の、前記チャンネルを除く部分をスクイジーヘッドというものとして、前記スクイジーは、前記ハンドルヘッドに前記バックプレートを取り付けた状態で前記スクイジーヘッドにウォッシャーを取り付け可能にする、ウォッシャー取付部を有し、前記ウォッシャー取付部は、前記スクイジーヘッドの、前記ハンドルヘッドと前記バックプレートが重なり合う領域を外れた領域（例えば、該重なり合う領域を左右両側方に外れた領域）に配置されているものである。これによれば、ハンドルヘッドとバックプレートを連結した状態で、ウォッシャーをウォッシャー取付部にてスクイジーヘッドに取り付けることができる。
【０００７】
この発明のスクイジーにおいて、前記ウォッシャー取付部は、前記ウォッシャーを前記スクイジーヘッドに取り付けるためのねじを挿通させるねじ通し穴、または該ねじをねじ込むねじ穴を有することができる。これによれば、ウォッシャーをねじによりスクイジーヘッドに取り付けることができる。
【０００８】
この発明のウォッシャー取付部品は、前記ウォッシャー取付部を有する部品であって、該ウォッシャー取付部品はスクイジーヘッドに取り付けられるものである。これによれば、ハンドルヘッドにバックプレートを取り付ける構造を有するスクイジーのスクイジーヘッドにウォッシャー取付部品を取り付けることにより、スクイジーヘッドにウォッシャー取付部を構成して、ウォッシャーをスクイジーヘッドに取り付けることができる。また、ハンドルヘッドにバックプレートを取り付ける構造が異なる（例えば、ハンドルヘッドにバックプレートをねじ止めする２本のねじの間隔が異なる等）複数種類のスクイジーに対して、ウォッシャー取付部品を代えることにより、同一種類のウォッシャーを取り付けることも可能となる。
【０００９】
この発明のウォッシャー取付部品は、前記ウォッシャー取付部のほか、該ウォッシャー取付部品を前記スクイジーヘッドに取り付けることを可能にするスクイジー取付部を有し、前記ウォッシャー取付部は、前記ウォッシャー取付部品を前記スクイジー取付部にて前記スクイジーヘッドに取り付けた状態で、該ウォッシャー取付部品に前記ウォッシャーを取り付けることを可能にするものとして構成することができる。これによれば、ウォッシャー取付部品をスクイジー取付部にてスクイジーヘッドに取り付けることにより、スクイジーのハンドルとバックプレートどうしを連結した状態で、ウォッシャー取付部にてウォッシャーをスクイジーヘッドに取り付けることができる。
【００１０】
前記ウォッシャー取付部品は、該ウォッシャー取付部品が前記スクイジーヘッドに取り付けられた状態で、前記ハンドルヘッドおよび前記バックプレートの左右両側方に張り出した領域を構成する左右の張り出し部を有し、前記左右の張り出し部は前記ウォッシャー取付部を有するものとして構成することができる。これによれば、ウォッシャー取付部がスクイジーヘッドの左右両側方位置に配置されているので、スクイジーに邪魔されずに、ウォッシャーを容易にスクイジーヘッドに取り付けることができる。また、ウォッシャーをスクイジーの腹側（ラバーが向く面側）または背側に切り換えて取り付け可能にする構造も容易に実現できる。
【００１１】
前記ウォッシャー取付部品は、前記ハンドルヘッドに前記バックプレートを取り付けるのに伴い前記スクイジーに取り付けられる構造を有するものとして構成することができる。これによれば、取付要素（ねじ等）によりハンドルヘッドにバックプレートを取り付けるのに伴い、スクイジーにウォッシャー取付部品を取り付けることができるので、スクイジーにウォッシャー取付部品を取り付けるための専用の取付要素を不要にすることができる。
【００１２】
前記ウォッシャー取付部品は、前記ウォッシャーを前記スクイジーヘッドの腹側、背側のいずれの面側にも切り換えて取り付けることを可能にするものとして構成することができる。これによれば、ウォッシャーをスクイジーの腹側に配置してウォッシャーによるウォッシングとスクイジーによる水切りを同時に行う使用モードと、ウォッシャーをスクイジーの背側に配置して、ハンドルを軸周り方向に反転させてウォッシャーによるウォッシングとスクイジーによる水切りを切り換えて行う使用モードを、切り換えて設定することができる。
【００１３】
前記ウォッシャー取付部品は、前記ハンドルヘッドの背側すなわち該ハンドルヘッドの前記バックプレートに対向する面とは反対の面側、または前記ハンドルヘッドと前記バックプレートの間、または前記バックプレートの腹側すなわち該バックプレートの前記ハンドルヘッドに対向する面とは反対の面側に配置された状態で、前記スクイジーに取り付けられるものとすることができる。
【００１４】
この発明は、スクイジーの１つの部品としてのハンドルに前記ウォッシャー取付部を配置することができる。これによれば、ハンドルに直接ウォッシャーを取り付けることができるので、ウォッシャー取付部を有する独立したウォッシャー取付部品を不要にすることができる。
【００１５】
この発明は、スクイジーの１つの部品としてのバックプレートに前記ウォッシャー取付部を配置することができる。これによれば、バックプレートに直接ウォッシャーを取り付けることができるので、ウォッシャー取付部を有する独立したウォッシャー取付部品を不要にすることができる。
【００１６】
また、この発明のウォッシャー取付部品は、スクイジーに取り付けられて、該スクイジーにウォッシャーを取り付け可能にするウォッシャー取付部品であって、該ウォッシャー取付部品は、該ウォッシャー取付部品に前記ウォッシャーが取り付けられていない状態で、該ウォッシャー取付部品を前記スクイジーに取り付けることを可能にするスクイジー取付部と、該ウォッシャー取付部品を前記スクイジー取付部にて前記スクイジーに取り付けた状態で、該ウォッシャー取付部品に前記ウォッシャーを取り付けることを可能にするウォッシャー取付部を有する、そのようなウォッシャー取付部品である。これによれば、ウォッシャー取付部品をスクイジー取付部にてスクイジーに取り付けた状態で、該ウォッシャー取付部品にウォッシャーをウォッシャー取付部にて取り付けることができるので、ハンドルヘッドとバックプレートを連結した状態で、ウォッシャーをウォッシャー取付部にてスクイジーヘッドに取り付けることができる。また、構造が異なる複数種類のスクイジーに対して、ウォッシャー取付部品を代えることにより、同一種類のウォッシャーを取り付けることも可能となる。
【図面の簡単な説明】
【００１７】
【図１Ａ】この発明によるスクイジーの実施の形態１を示す図で、図４のウォッシャー取付部品を図２のスクイジーの背側に取り付けたウォッシャー取付部品付きスクイジーを背側から見た斜視図である。
【図１Ｂ】図１Ａのウォッシャー取付部品付きスクイジーを腹側から見た斜視図である。
【図２】在来のスクイジーの構成部品を示す図で、該スクイジーを分解して背側から見た斜視図である。
【図３Ａ】図２のスクイジーを組み立てて背側から見た斜視図である。
【図３Ｂ】図３Ａのスクイジーを腹側から見た斜視図である。
【図４】この発明によるウォッシャー取付部品の実施の形態１を示す図で、図２のスクイジーに取り付けて使用されるウォッシャー取付部品およびその取り付けに使用されるねじを示す斜視図である。
【図５】実施の形態１〜４のスクイジーの背側および腹側のいずれの側にも着脱自在に取り付け可能なウォッシャーの分解斜視図および、該ウォッシャーをウォッシャー取付部品付きスクイジーに取り付ける手回し式ねじを示す。
【図６】図５のウォッシャーの支持台４２付近の拡大斜視図である。
【図７】図５の芯部材３８に含浸体３６を被せて構成されたウォッシャーを示す斜視図である。
【図８Ａ】図１Ａ、図１Ｂのウォッシャー取付部品付きスクイジーの背側に図７のウォッシャーを取り付けたコンビスクイジー（ウォッシャー付きスクイジー）を背側から見た斜視図である。
【図８Ｂ】図８Ａのコンビスクイジーを腹側から見た斜視図である。
【図９Ａ】図８Ａ，図８Ｂのコンビスクイジーを、含浸体を外した状態で背側から見た斜視図である。
【図９Ｂ】図９Ａの状態のコンビスクイジーを腹側から見た斜視図である。
【図１０Ａ】図１Ａ、図１Ｂのウォッシャー取付部品付きスクイジーの腹側に図７のウォッシャーを取り付けたコンビスクイジーを背側から見た斜視図である。
【図１０Ｂ】図１０Ａのコンビスクイジーを腹側から見た斜視図である。
【図１１Ａ】この発明によるスクイジーの実施の形態１の変形例を示す図で、図４のウォッシャー取付部品を図２のスクイジーの腹側に取り付けたウォッシャー取付部品付きスクイジーを背側から見た斜視図である。
【図１１Ｂ】図１１Ａのウォッシャー取付部品付きスクイジーを腹側から見た斜視図である。
【図１２Ａ】図１１Ａ、図１１Ｂのウォッシャー取付部品付きスクイジーの背側に図７のウォッシャーを取り付けたコンビスクイジーを背側から見た斜視図である（含浸体を外した状態で示す）。
【図１２Ｂ】図１２Ａの状態のコンビスクイジーを腹側から見た斜視図である。
【図１３Ａ】図１１Ａ、図１１Ｂのウォッシャー取付部品付きスクイジーの腹側に図７のウォッシャーを取り付けたコンビスクイジーを背側から見た斜視図である（含浸体を外した状態で示す）。
【図１３Ｂ】図１３Ａの状態のコンビスクイジーを腹側から見た斜視図である。
【図１４】この発明によるウォッシャー取付部品の実施の形態２を示す図で、図２のスクイジーに取り付けて使用されるウォッシャー取付部品を示す斜視図である。
【図１５Ａ】この発明によるスクイジーの実施の形態２を示す図で、図１４のウォッシャー取付部品を図２のスクイジー（ただしチャンネルの長さは図２のものよりも短い）のハンドルヘッドとバックプレートの間に挟み付けて該スクイジーに取り付けたウォッシャー取付部品付きスクイジーを背側から見た斜視図である。
【図１５Ｂ】図１５Ａのウォッシャー取付部品付きスクイジーを腹側から見た斜視図である。
【図１６Ａ】図１５Ａ、図１５Ｂのウォッシャー取付部品付きスクイジーの背側に図７のウォッシャー（ただしウォッシャーの長さは図７のものよりも短い）を取り付けたコンビスクイジーを背側から見た斜視図である（含浸体を外した状態で示す）。
【図１６Ｂ】図１６Ａの状態のコンビスクイジーを腹側から見た斜視図である。
【図１７Ａ】図１５Ａ、図１５Ｂのウォッシャー取付部品付きスクイジーの腹側に図７のウォッシャー（ただしウォッシャーの長さは図７のものよりも短い）を取り付けたコンビスクイジーを背側から見た斜視図である（含浸体を外した状態で示す）。
【図１７Ｂ】図１７Ａの状態のコンビスクイジーを腹側から見た斜視図である。
【図１８】この発明によるスクイジーの実施の形態３を示す図で、該スクイジーとウォッシャーを組み合わせたコンビスクイジーを分解して背側から見た斜視図である。
【図１９Ａ】図１８のハンドルを背側から見た斜視図である。
【図１９Ｂ】図１９Ａのハンドルを腹側から見た斜視図である。
【図２０Ａ】図１８のスクイジーを組み立てて背側から見た斜視図である。
【図２０Ｂ】図２０Ａのスクイジーを腹側から見た斜視図である。
【図２１Ａ】図２０Ａ、図２０Ｂのスクイジーの背側に図１８のウォッシャーを取り付けたコンビスクイジーを背側から見た斜視図である（含浸体を外した状態で示す）。
【図２１Ｂ】図２１Ａの状態のコンビスクイジーを腹側から見た斜視図である。
【図２２Ａ】図２０Ａ、図２０Ｂのスクイジーの腹側に図１８のウォッシャーを取り付けたコンビスクイジーを背側から見た斜視図である（含浸体を外した状態で示す）。
【図２２Ｂ】図２２Ａの状態のコンビスクイジーを腹側から見た斜視図である。
【図２３】この発明によるスクイジーの実施の形態４を示す図で、該スクイジーとウォッシャーを組み合わせたコンビスクイジーを分解して背側から見た斜視図である。
【図２４Ａ】図２３のバックプレートを背側（ハンドルヘッドに対面する側）から見た斜視図である。
【図２４Ｂ】図２４Ａのバックプレートを腹側から見た斜視図である。
【図２５Ａ】図２３のスクイジーを組み立てて背側から見た斜視図である。
【図２５Ｂ】図２５Ａのスクイジーを腹側から見た斜視図である。
【図２６Ａ】図２５Ａ、図２５Ｂのスクイジーの背側に図２３のウォッシャーを取り付けたコンビスクイジーを背側から見た斜視図である（含浸体を外した状態で示す）。
【図２６Ｂ】図２６Ａの状態のコンビスクイジーを腹側から見た斜視図である。
【図２７Ａ】図２５Ａ、図２５Ｂのスクイジーの腹側に図２３のウォッシャーを取り付けたコンビスクイジーを背側から見た斜視図である（含浸体を外した状態で示す）。
【図２７Ｂ】図２７Ａの状態のコンビスクイジーを腹側から見た斜視図である。
【図２８】図９ＡのＩ−Ｉ矢視端面図である。
【図２９】図１０ＡのII−II矢視端面図である（含浸体を外した状態で示す）。
【図３０】図１０Ａ、図１０Ｂのコンビスクイジーについて、スクイジー・ウォッシャー間距離を調整可能にした変形例を示す図で、図１０ＡのII−II矢視位置に相当する位置の矢視端面図である。
【発明を実施するための形態】
【００１８】
《実施の形態１》
この発明の実施の形態１を説明する。この実施の形態は、在来のスクイジーに、この発明によるウォッシャー取付部品を取り付けて、ウォッシャーを着脱可能にしたこの発明によるスクイジーを構成したものである。はじめに、この実施の形態で使用する在来のスクイジーを図２、図３Ａ、図３Ｂを参照して説明する。図２は在来のスクイジー１０の構成部品を示す。図２ではＥＴＴＯＲＥ社製「Master Squeegee」のハンドルとバックプレートを使用した場合を示しているが、他社製品にも同様の形態のものがある。スクイジー１０は金属製のハンドル（把持具）１２と、金属製のバックプレート（裏板）１４と、金属製のチャンネル（横棒）１６と、２本のねじ１８と、２個のナット２０と、チャンネル１６にその長さ方向に沿って装着されたラバー（長尺のゴム等の弾性板）２２とで構成される。なお、スクイジー１０およびその構成部品について、それぞれの両面側のうち、スクイジー１０で窓ガラスを掻く（水切りをする）ときに窓ガラスに対面する側を「腹側」とし、その反対側を「背側」とする。また、スクイジー１０の前後方向（すなわちハンドル１２の軸方向）について、チャンネル１６が配置される側を「前端側」とし、その反対側（把持部１２ｂの末端側）を「後端側」とする。ハンドル１２は前端側のハンドルヘッド１２ａと後端側の把持部１２ｂを有する。把持部１２ｂは握って作業をしやすいように、軸に直交する断面が円形に形成されている。ハンドルヘッド１２ａは把持部１２ｂの前端に連続して、前端側に向けて扇状に拡げられて、扁平幅広形状に形成されている。ハンドルヘッド１２ａには、その左右２箇所に、凹部１２ｄがそれぞれ形成されている。各凹部１２ｄの中央にはねじ通し穴１２ｃが形成されている。バックプレート１４は、ハンドルヘッド１２ａの裏面側（腹側）の凹所１２ｅに収容される大きさの扇状に形成されている。バックプレート１４には、ハンドルヘッド１２ａの２個のねじ通し穴１２ｃに対面する２箇所に、ねじ通し穴１４ａがそれぞれ形成されている。ハンドルヘッド１２ａの腹側の凹所１２ｅにバックプレート１４を収容し、ハンドルヘッド１２ａとバックプレート１４の間の前端部にチャンネル１６を挟み込み、２本のねじ１８をハンドル１２の背側からねじ通し穴１２ｃ，１４ａに順次差し込み、バックプレート１４の腹側に突出したねじ１８の端部にそれぞれナット２０をねじ込んで締め付けることにより、ハンドル１２とバックプレート１４は相互に連結され、かつハンドルヘッド１２ａとバックプレート１４の間の前端部にチャンネル１６が挟持されて、ハンドル１２とバックプレート１４とチャンネル１６は組み立てられて分解可能に一体化される。図３Ａ、図３Ｂはこのようにして組み立てられたスクイジー１０を背側および腹側から見た状態をそれぞれ示す。ラバー２２の前縁部２２ａは窓ガラス表面から洗浄液を掻き落とせるようにチャンネル１６の前縁部１６ａから少し突出している。スクイジー１０の、把持部１２ｂよりも前端側の、チャンネル１６を除く部分をスクイジーヘッド１０ａというものとする。
【００１９】
図４は、図２のスクイジー１０に取り付けて使用されるウォッシャー取付部品２４およびその取り付けに使用されるねじ２６を示す。ねじ２６は図２のねじ１８に代えて使用されるもので、ねじ１８よりも軸が長い。図２のナット２０はここでは使用しない。ウォッシャー取付部品２４は、ウォッシャー取付部品本体部を構成するプレート２８に、２個の中空の（つまり貫通穴を有する）雌ねじ付きリベット３０，３０と、２個の中空の（つまり貫通穴を有する）雌ねじ無しリベット３２，３２を、それぞれ別々の位置に取り付けて構成されている。プレート２８は、例えば、長さが11cm、幅が2cm、厚さが2mm程度のアルミ等の金属板（平板）で構成される。雌ねじ付きリベット３０，３０はスクイジー取付部を構成するもので、プレート２８の長手方向の中央位置を挟んで等間隔の位置に配置されている。雌ねじ付きリベット３０，３０の軸間距離は、ハンドルヘッド１２ａの２個のねじ通し穴１２ｃ，１２ｃ（図２）の軸間距離およびバックプレート１４の２個のねじ通し穴１４ａ，１４ａ（図２）の軸間距離にそれぞれ等しい。雌ねじ無しリベット３２，３２はウォッシャー取付部を構成するもので、プレート２８の長手方向の中央位置を挟んで等間隔の位置（プレート２８の長手方向の中央位置からの距離が、雌ねじ付きリベット３０，３０よりも遠い、プレート２８の長手方向の両端に近い位置）に配置されている。雌ねじ無しリベット３２，３２の軸間距離は、ウォッシャー取付部品２４をスクイジー１０に取り付ける位置で、雌ねじ無しリベット３２，３２がハンドルヘッド１２ａを跨いでハンドルヘッド１２ａの左右両側方に配置されるような距離に設定されている。雌ねじ付きリベット３０と雌ねじ無しリベット３２はプレート２８の板厚方向の互いに反対の面側に突出している。プレート２８の板厚方向の両面２８Ａ，２８Ｂのうち、雌ねじ付きリベット３０，３０が突出する側の面を「面２８Ａ」、雌ねじ無しリベット３２が突出する側の面を「面２８Ｂ」というものとする。ウォッシャー取付部品２４は面２８Ｂをスクイジーヘッド１０ａの背側または腹側に当接させてスクイジーヘッド１０ａに支持される。なお、プレート２８の雌ねじ付きリベット３０，３０を取り付ける箇所にねじ通し穴をそれぞれ開け、雌ねじ付きリベット３０，３０に代えて図２のナット２０，２０を使用して、ねじ２６，２６を該各ねじ通し穴に挿通してナット２０，２０にねじ込んで締め付けるようにすることもできる。
【００２０】
図４のウォッシャー取付部品２４を図２のスクイジー１０の背側に取り付けた状態を図１Ａ（背側から見た状態）、図１Ｂ（腹側から見た状態）に示す。このウォッシャー取付部品付きスクイジー10-1は、図２の短いねじ１８に代えて図４の長いねじ２６が使用されている。また、図２のナット２０に代えて図４の雌ねじ付きリベット３０，３０が使用されている。図１Ａ、図１Ｂのウォッシャー取付部品付きスクイジー10-1を組み立てる手順は次のとおりである。ハンドルヘッド１２ａの腹側の凹所１２ｅにバックプレート１４を収容する。ハンドルヘッド１２ａとバックプレート１４の間の前端部にチャンネル１６を挟み込む。ここまでは、図２の在来のスクイジー１０を組み立てる手順と同じである。次に、ウォッシャー取付部品２４を、その面２８Ｂをハンドルヘッド１２ａの背側に当接させて、ハンドルヘッド１２ａの背側に載置する。２本のねじ２６をバックプレート１４の腹側からねじ通し穴１４ａ，１２ｃに順次差し込み、ウォッシャー取付部品２４の雌ねじ付きリベット３０にねじ込んで締め付ける。これにより、バックプレート１４とハンドル１２とウォッシャー取付部品２４は相互に連結され、かつハンドルヘッド１２ａとバックプレート１４の間の前端部にチャンネル１６が挟持される。このようにして、ウォッシャー取付部品２４とハンドル１２とバックプレート１４とチャンネル１６は図１Ａ、図１Ｂのように組み立てられて分解可能に一体化される。これにより、ウォッシャー取付部品２４をスクイジーヘッド１０ａに取り付けたウォッシャー取付部品付きスクイジー10-1が構成される。このとき、ウォッシャー取付部品２４の長手方向の両側箇所は、スクイジーヘッド１０ａの、ハンドルヘッド１２ａとバックプレート１４が存在する領域よりも左右両側方に張り出して左右の張り出し部２４ｃ，２４ｃを構成する。張り出し部２４ｃ，２４ｃはスクイジーヘッド１０ａの一部を構成する。左右の張り出し部２４ｃ，２４ｃは、スクイジーヘッド１０ａの、ハンドルヘッド１２ａとバックプレート１４が重なり合う領域の外に配置されている。張り出し部２４ｃ，２４ｃには、ウォッシャー取付部を構成する雌ねじ無しリベット３２，３２がウォッシャー取付部品付きスクイジー10-1の腹側に突出した状態でそれぞれ配置されている。なお、ウォッシャー取付部品付きスクイジー10-1は、このままウォッシャーを取り付けずに、スクイジー単体具として窓ガラスの水切りに使用することができる。このときウォッシャー取付部品２４は水切り作業の邪魔になるものではない。
【００２１】
図１Ａ、図１Ｂのウォッシャー取付部品付きスクイジー10-1に対し、その背側および腹側のいずれの側にも着脱自在に取り付け可能なウォッシャーを説明する。図５は同ウォッシャー３４の分解斜視図を示す。ウォッシャー３４は、含浸体３６と棒状（直棒状）の芯部材３８を有する。２本の手回し式ねじ４０，４０は、ウォッシャー３４をウォッシャー取付部品付きスクイジー10-1に取り付けるためのねじである。芯部材３８には、芯部材３８の長さ方向中央部に、支持台４２がリベット等で取り付けられている。芯部材３８は、例えば、チャンネル１６（図１Ａ、図１Ｂ）と同程度の長さを有する直径10mm程度のアルミ丸パイプ（直管）で構成される。芯部材３８の両端部には、ビニール、ゴム等のキャップ４４が被せて装着されている。
【００２２】
支持台４２の構成を図６の拡大図を参照して説明する。支持台４２は例えば、厚さが1.5mm程度のアルミ板で構成されている。支持台４２はベース部４２ａと、ベース部４２ａの長さ方向の両端部付近でベース部４２ａから直角に折り曲げられた背部４２ｂ，４２ｂを有する。芯部材３８はベース部４２ａと背部４２ｂ，４２ｂの各内面に支持された状態で、２個のブラインドリベット（引き抜きリベット）４６によりベース部４２ａに固定されている。ベース部４２ａには、ベース部４２ａの長さ方向の両端部付近に中空の（つまり貫通穴を有する）雌ねじ付きリベット４８，４８が取り付けられている。すなわち、雌ねじ付きリベット４８は、ベース部４２ａの面に対し芯部材３８が配置された側と反対側に向けて直角に突出した状態に、ベース部４２ａに取り付けられている。雌ねじ付きリベット４８の突出した先端面には、雌ねじが開口している。雌ねじ付きリベット４８の外径は、ウォッシャー取付部品２４（図４）の雌ねじ無しリベット３２の外径と等しい。また、２個の雌ねじ付きリベット４８，４８の軸間距離は、ウォッシャー取付部品２４の２個の雌ねじ無しリベット３２，３２の軸間距離に等しい。実施の形態１および、後述する実施の形態１の変形例、実施の形態２，３におけるいずれの使用態様においても、ウォッシャー３４は雌ねじ付きリベット４８，４８の先端面がスクイジーに当接支持された状態で、該スクイジーに取り付けられる。ベース部４２ａの、２個の雌ねじ付きリベット４８，４８の間の位置には、２個の丸穴５０，５０が形成されている。この丸穴５０，５０は、使用態様によってはねじ２６，２６の先端が支持台４２のベース部４２ａに当たって、スクイジーに対するウォッシャー３４の取り付けを邪魔する可能性があるので、ねじ２６，２６の先端を除けて（収容して）、該先端が支持台４２のベース部４２ａに当たらないようにするものである。したがって、いずれの使用態様においてもねじ２６，２６の先端が支持台４２のベース部４２ａに当たらない場合は、丸穴５０，５０は設けなくてもよい。
【００２３】
図５において、含浸体３６は表面側を起毛した布を使用して、該布を袋状に縫製して作られている。含浸体３６の側部には、芯部材３８を出し入れするための開口部５２が形成されている。含浸体３６の開口部５２には、開口部５２を開閉自在に閉じるための一対の面ファスナー５４が、開口部５２の対向する縁部に沿って縫着されている。含浸体３６の開口部５２の内周面には、その長手方向の２箇所に２本のゴム紐５６，５６が縫着されている。これらゴム紐５６，５６は、芯部材３８の左右箇所をそれぞれ通すためのものである。含浸体３６には、含浸体３６の長さ方向の中央位置に、該中央位置で開口部５２を開閉自在に閉じるための一対の面ファスナー５８が、開口部５２の対向する縁部に縫着されている。以上の構成によれば、芯部材３８の左右箇所をゴム紐５６，５６にそれぞれ通しながら、芯部材３８を開口部５２から含浸体３６の内部空間に差し込み、次いで面ファスナー５４，５８を閉じることにより、図７に示す、芯部材３８に含浸体３６を被せたウォッシャー３４が構成される。
【００２４】
図１Ａ、図１Ｂのウォッシャー取付部品付きスクイジー10-1の背側に図７のウォッシャー３４を取り付ける手順は次のとおりである。ウォッシャー取付部品付きスクイジー10-1のスクイジーヘッド１０ａの背側に図７のウォッシャー３４を配置し、ウォッシャー取付部品２４の雌ねじ無しリベット３２，３２の、面２８Ａに露出している基端と、ウォッシャー３４の雌ねじ付きリベット４８，４８の先端を同軸上に配して突き当てる。これにより、雌ねじ無しリベット３２，３２の中空部と雌ねじ付きリベット４８，４８の中空部が連通する。この状態で、ウォッシャー取付部品付きスクイジー10-1の腹側から、手回し式ねじ４０，４０を雌ねじ無しリベット３２，３２に差し込み、雌ねじ付きリベット４８，４８にねじ込んで締め付ける。この手回し式ねじ４０，４０の締め付け力により、雌ねじ無しリベット３２，３２の基端と雌ねじ付きリベット４８，４８の先端どうしが強く突き当てられた状態となり、ウォッシャー３４はウォッシャー取付部品付きスクイジー10-1のスクイジーヘッド１０ａの背側にがたつきなく取り付けられる。図８Ａ（背側から見た状態）、図８Ｂ（腹側から見た状態）はこのようにして構成されたコンビスクイジー（ウォッシャー付きスクイジー）５１を示す。また、図９Ａ（背側から見た状態）、図９Ｂ（腹側から見た状態）は、取り付け状態を分かりやすくするために、このコンビスクイジー５１を含浸体３６を外した状態で示したものである。また、図２８はコンビスクイジー５１を図９ＡのＩ−Ｉ矢視位置で切断した端面を示す。図８Ａ、図８Ｂのコンビスクイジー５１は、ハンドル１２をその軸周り方向に反転させてウォッシャー３４によるウォッシングとスクイジー10-1による水切りを切り換えて行うことができる。手回し式ねじ４０，４０を緩めてウォッシャー取付部品付きスクイジー10-1とウォッシャー３４の連結を解除することにより、ウォッシャー取付部品付きスクイジー10-1をスクイジー単体具として使用することができる。
【００２５】
図１Ａ、図１Ｂのウォッシャー取付部品付きスクイジー10-1の腹側に図７のウォッシャー３４を取り付ける手順は次のとおりである。ウォッシャー取付部品付きスクイジー10-1のスクイジーヘッド１０ａの腹側に図７のウォッシャー３４を配置し、ウォッシャー取付部品２４の雌ねじ無しリベット３２，３２の先端とウォッシャー３４の雌ねじ付きリベット４８，４８の先端を同軸上に配して突き当てる。これにより、雌ねじ無しリベット３２，３２の中空部と雌ねじ付きリベット４８，４８の中空部が連通する。この状態で、ウォッシャー取付部品付きスクイジー10-1の背側から、手回し式ねじ４０，４０を雌ねじ無しリベット３２，３２に差し込み、雌ねじ付きリベット４８，４８にねじ込んで締め付ける。この手回し式ねじ４０，４０の締め付け力により、雌ねじ無しリベット３２，３２の先端と雌ねじ付きリベット４８，４８の先端どうしが強く突き当てられた状態となり、ウォッシャー３４はウォッシャー取付部品付きスクイジー10-1のスクイジーヘッド１０ａの腹側にがたつきなく取り付けられる。図１０Ａ（背側から見た状態）、図１０Ｂ（腹側から見た状態）はこのようにして構成されたコンビスクイジー５３を示す。また、図２９はコンビスクイジー５３を図１０ＡのII−II矢視位置で切断した端面を示す（含浸体３６を外した状態で示す）。このコンビスクイジー５３は、ハンドル１２を反転させることなく、ウォッシャー３４によるウォッシングとスクイジー10-1による水切りを同時に行うことができる。
【００２６】
《実施の形態１の変形例》
実施の形態１ではウォッシャー取付部品２４をスクイジー１０の背側に取り付けたが、スクイジー１０の腹側に取り付けることもできる。ウォッシャー取付部品２４をスクイジー１０の腹側に取り付けた状態を図１１Ａ（背側から見た状態）、図１１Ｂ（腹側から見た状態）に示す。このウォッシャー取付部品付きスクイジー10-2を構成するのに使用する部品は実施の形態１で使用したものと同じである。図１１Ａ、図１１Ｂのウォッシャー取付部品付きスクイジー10-2を組み立てる手順は次のとおりである。ハンドルヘッド１２ａの腹側の凹所１２ｅにバックプレート１４を収容する。ハンドルヘッド１２ａとバックプレート１４の間の前端部にチャンネル１６を挟み込む。ここまでは、図２の在来のスクイジー１０を組み立てる手順と同じである。次に、ウォッシャー取付部品２４を、その面２８Ｂをスクイジーヘッド１０ａの腹側に当接させて、スクイジーヘッド１０ａの腹側に載置する。２本のねじ２６をスクイジーヘッド１０ａの背側からねじ通し穴１２ｃ，１４ａに順次差し込み、ウォッシャー取付部品２４の雌ねじ付きリベット３０にねじ込んで締め付ける。これにより、ハンドル１２とバックプレート１４とウォッシャー取付部品２４とは相互に連結され、かつハンドルヘッド１２ａとバックプレート１４の間の前端部にチャンネル１６が挟持される。このようにして、ウォッシャー取付部品２４とハンドル１２とバックプレート１４とチャンネル１６は図１１Ａ、図１１Ｂのように組み立てられて分解可能に一体化される。これにより、ウォッシャー取付部品２４をスクイジーヘッド１０ａに取り付けたウォッシャー取付部品付きスクイジー10-2が構成される。このとき、ウォッシャー取付部品２４の長手方向の両側箇所は、スクイジーヘッド１０ａの、ハンドルヘッド１２ａとバックプレート１４が存在する領域よりも左右両側方に張り出して左右の張り出し部２４ｃ，２４ｃを構成する。張り出し部２４ｃ，２４ｃはスクイジーヘッド１０ａの一部を構成する。左右の張り出し部２４ｃ，２４ｃは、スクイジーヘッド１０ａの、ハンドルヘッド１２ａとバックプレート１４が重なり合う領域の外に配置されている。張り出し部２４ｃ，２４ｃには、ウォッシャー取付部を構成する雌ねじ無しリベット３２，３２がウォッシャー取付部品付きスクイジー10-2の背側に突出した状態でそれぞれ配置されている。なお、ウォッシャー取付部品付きスクイジー10-2は、このままウォッシャー３４を取り付けずに、スクイジー単体具として窓ガラスの水切りに使用することができる。このときウォッシャー取付部品２４は水切り作業の邪魔になるものではない。
【００２７】
図１１Ａ、図１１Ｂのウォッシャー取付部品付きスクイジー10-2のスクイジーヘッド１０ａには、前述した図７のウォッシャー３４を、背側および腹側のいずれの側にも着脱自在に取り付けることができる。このうち、背側に取り付ける手順は次のとおりである。ウォッシャー取付部品付きスクイジー10-2のスクイジーヘッド１０ａの背側に図７のウォッシャー３４を配置し、ウォッシャー取付部品２４の雌ねじ無しリベット３２，３２の先端とウォッシャー３４の雌ねじ付きリベット４８，４８の先端を同軸上に配して突き当てる。これにより、雌ねじ無しリベット３２，３２の中空部と雌ねじ付きリベット４８，４８の中空部が連通する。この状態で、ウォッシャー取付部品付きスクイジー10-2の腹側から、手回し式ねじ４０，４０を雌ねじ無しリベット３２，３２に差し込み、雌ねじ付きリベット４８，４８にねじ込んで締め付ける。この手回し式ねじ４０，４０の締め付け力により、雌ねじ無しリベット３２，３２の先端と雌ねじ付きリベット４８，４８の先端どうしが強く突き当てられた状態となり、ウォッシャー３４はウォッシャー取付部品付きスクイジー10-2のスクイジーヘッド１０ａの背側にがたつきなく取り付けられる。図１２Ａ（背側から見た状態）、図１２Ｂ（腹側から見た状態）はこのようにして構成されたコンビスクイジー５５を示す（含浸体を外した状態で示す）。また、腹側に取り付ける手順は次のとおりである。ウォッシャー取付部品付きスクイジー10-2のスクイジーヘッド１０ａの腹側にウォッシャー３４を配置し、ウォッシャー取付部品２４の雌ねじ無しリベット３２，３２の、面２８Ａに露出している基端と、ウォッシャー３４の雌ねじ付きリベット４８，４８の先端を同軸上に配して突き当てる。これにより、雌ねじ無しリベット３２，３２の中空部と雌ねじ付きリベット４８，４８の中空部が連通する。この状態で、ウォッシャー取付部品付きスクイジー10-2の背側から、手回し式ねじ４０，４０を雌ねじ無しリベット３２，３２に差し込み、雌ねじ付きリベット４８，４８にねじ込んで締め付ける。この手回し式ねじ４０，４０の締め付け力により、雌ねじ無しリベット３２，３２の基端と雌ねじ付きリベット４８，４８の先端どうしが強く突き当てられた状態となり、ウォッシャー３４はウォッシャー取付部品付きスクイジー10-2のスクイジーヘッド１０ａの腹側にがたつきなく取り付けられる。図１３Ａ（背側から見た状態）、図１３Ｂ（腹側から見た状態）はこのようにして構成されたコンビスクイジー５７を示す（含浸体を外した状態で示す）。
【００２８】
《実施の形態２》
この発明の実施の形態２を説明する。この実施の形態は、在来のスクイジーに、この発明による別のウォッシャー取付部品を取り付けて、ウォッシャーを着脱可能にしたこの発明による別のスクイジーを構成したものである。実施の形態１と共通する部分には、実施の形態１で使用したものと同じ符号を用いる。図１４は、図２の在来のスクイジー１０に取り付けて使用されるウォッシャー取付部品６０を示す。ウォッシャー取付部品６０はハンドルヘッド１２ａとバックプレート１４の間に挟み付けてスクイジー１０に取り付けられる。スクイジー１０に対するウォッシャー取付部品６０の取り付けには、図２の２本のねじ１８と２個のナット２０をそのまま使うことができる。ウォッシャー取付部品６０は、ウォッシャー取付部品本体部を構成するプレート６２に、２個のねじ通し穴６４，６４を開設し、別の位置に２個の中空の（つまり貫通穴を有する）雌ねじ無しリベット６６，６６を取り付けて構成されている。プレート６２は、例えば、長さが11cm、幅が2cm、厚さが2mm程度のアルミ等の金属板（平板）で構成される。ねじ通し穴６４，６４はプレート６２の長手方向の中央位置を挟んで等間隔の位置に配置されている。これらねじ通し穴６４，６４はスクイジー取付部を構成するもので、図２の２本のねじ１８の軸部が挿通される。したがって、ねじ通し穴６４，６４の軸間距離は、ハンドルヘッド１２ａの２個のねじ通し穴１２ｃ，１２ｃの軸間距離およびバックプレート１４の２個のねじ通し穴１４ａ，１４ａの軸間距離にそれぞれ等しい。雌ねじ無しリベット６６，６６はウォッシャー取付部を構成するもので、プレート６２の長手方向の中央位置を挟んで等間隔の位置（プレート６２の長手方向の中央位置からの距離が、ねじ通し穴６４，６４よりも遠い、プレート６２の長手方向の両端に近い位置）に配置されている。雌ねじ無しリベット６６，６６の外径はウォッシャー３４の雌ねじ付きリベット４８（図６）の外径と等しい。また、２個の雌ねじ無しリベット６６，６６の軸間距離は、ウォッシャー取付部品６０をスクイジー１０に取り付ける位置で、雌ねじ無しリベット６６，６６がハンドルヘッド１２ａを跨いでハンドルヘッド１２ａの左右両側方に配置されるような距離に設定されている。この軸間距離は２個の雌ねじ付きリベット４８，４８の軸間距離に等しい。プレート６２の板厚方向の両面６２Ａ，６２Ｂのうち、雌ねじ無しリベット６６が突出する側の面を「面６２Ｂ」といい、反対側の面を「面６２Ａ」というものとする。この実施の形態のウォッシャー取付部品６０は、面６２Ａをスクイジー１０の腹側に向け、面６２Ｂをスクイジー１０の背側に向けてスクイジー１０に取り付けるものとして設計されている。プレート６２の、スクイジー１０の後端側に位置する辺の中央部は、バックプレート１４を配置するのに邪魔にならないように、切欠６８が形成されている。
【００２９】
図１４のウォッシャー取付部品６０を図２のスクイジー１０に取り付けた状態を図１５Ａ（背側から見た状態）、図１５Ｂ（腹側から見た状態）に示す。図１５Ａ、図１５Ｂのウォッシャー取付部品付きスクイジー10-3を組み立てる手順は次のとおりである。ハンドルヘッド１２ａとバックプレート１４の間にウォッシャー取付部品６０を挟み込んで、ハンドルヘッド１２ａの腹側の凹所１２ｅにバックプレート１４を収容する。ハンドルヘッド１２ａとバックプレート１４の間の前端部にチャンネル１６を挟み込む。次に、ねじ１８，１８をハンドルヘッド１２ａの背側から、ハンドルヘッド１２ａのねじ通し穴１２ｃ、ウォッシャー取付部品６０のねじ通し穴６４、バックプレート１４のねじ通し穴１４ａに順次差し込み、バックプレート１４の腹側でナット２０，２０にねじ込んで締め付ける。これにより、ハンドル１２とウォッシャー取付部品６０とバックプレート１４は相互に連結され、かつハンドルヘッド１２ａとバックプレート１４の間の前端部にチャンネル１６が挟持される。このようにして、ウォッシャー取付部品６０とハンドル１２とバックプレート１４とチャンネル１６は図１５Ａ、図１５Ｂのように組み立てられて分解可能に一体化される。これにより、ウォッシャー取付部品６０をスクイジーヘッド１０ａに取り付けたウォッシャー取付部品付きスクイジー10-3が構成される。このとき、ウォッシャー取付部品６０の長手方向の両側箇所は、スクイジーヘッド１０ａの、ハンドルヘッド１２ａとバックプレート１４が存在する領域よりも左右両側方に張り出して左右の張り出し部６０ａ，６０ａを構成する。張り出し部６０ａ，６０ａはスクイジーヘッド１０ａの一部を構成する。左右の張り出し部６０ａ，６０ａは、スクイジーヘッド１０ａの、ハンドルヘッド１２ａとバックプレート１４が重なり合う領域の外に配置されている。張り出し部６０ａ，６０ａには、ウォッシャー取付部を構成する雌ねじ無しリベット６６，６６がウォッシャー取付部品付きスクイジー10-3の背側に突出した状態でそれぞれ配置されている。なお、ウォッシャー取付部品付きスクイジー10-3は、このままウォッシャー３４を取り付けずに、スクイジー単体具として窓ガラスの水切りに使用することができる。このときウォッシャー取付部品６０は水切り作業の邪魔になるものではない。
【００３０】
図１５Ａ、図１５Ｂのウォッシャー取付部品付きスクイジー10-3のスクイジーヘッド１０ａには、前述した図７のウォッシャー３４を、背側および腹側のいずれの側にも着脱自在に取り付けることができる。このうち、背側に取り付ける手順は次のとおりである。ウォッシャー取付部品付きスクイジー10-3のスクイジーヘッド１０ａの背側にウォッシャー３４を配置し、ウォッシャー取付部品６０の雌ねじ無しリベット６６，６６の先端とウォッシャー３４の雌ねじ付きリベット４８，４８の先端を同軸上に配して突き当てる。これにより、雌ねじ無しリベット６６，６６の中空部と雌ねじ付きリベット４８，４８の中空部が連通する。この状態で、ウォッシャー取付部品付きスクイジー10-3の腹側から、手回し式ねじ４０，４０を雌ねじ無しリベット６６，６６に差し込み、雌ねじ付きリベット４８，４８にねじ込んで締め付ける。この手回し式ねじ４０，４０の締め付け力により、雌ねじ無しリベット６６，６６の先端と雌ねじ付きリベット４８，４８の先端どうしが強く突き当てられた状態となり、ウォッシャー３４はウォッシャー取付部品付きスクイジー10-3のスクイジーヘッド１０ａの背側にがたつきなく取り付けられる。図１６Ａ（背側から見た状態）、図１６Ｂ（腹側から見た状態）はこのようにして構成されたコンビスクイジー６１を示す（含浸体を外した状態で示す）。また、腹側に取り付ける手順は次のとおりである。ウォッシャー取付部品付きスクイジー10-3のスクイジーヘッド１０ａの腹側にウォッシャー３４を配置し、ウォッシャー取付部品６０の雌ねじ無しリベット６６，６６の、面６２Ａに露出している基端と、ウォッシャー３４の雌ねじ付きリベット４８，４８の先端を同軸上に配して突き当てる。これにより、雌ねじ無しリベット６６，６６の中空部と雌ねじ付きリベット４８，４８の中空部が連通する。この状態で、ウォッシャー取付部品付きスクイジー10-3の背側から、手回し式ねじ４０，４０を雌ねじ無しリベット６６，６６に差し込み、雌ねじ付きリベット４８，４８にねじ込んで締め付ける。この手回し式ねじ４０，４０の締め付け力により、雌ねじ無しリベット６６，６６の基端と雌ねじ付きリベット４８，４８の先端どうしが強く突き当てられた状態となり、ウォッシャー３４はウォッシャー取付部品付きスクイジー10-3のスクイジーヘッド１０ａの腹側にがたつきなく取り付けられる。図１７Ａ（背側から見た状態）、図１７Ｂ（腹側から見た状態）はこのようにして構成されたコンビスクイジー６３を示す（含浸体を外した状態で示す）。なお、この実施の形態２および後述する実施の形態３，４では、前述した実施の形態１（変形例を含む）に比べて、チャンネル１６およびウォッシャー３４として、長さが短いものが使用されているが、この長さの違いには特段の技術的な意味はない。
【００３１】
《実施の形態３》
この発明の実施の形態３を説明する。この実施の形態は、独立したウォッシャー取付部品を使用するのに代えて、スクイジーのハンドルを構成する部品自体にウォッシャー取付部を構成したものである。実施の形態１または２と共通する部分には、実施の形態１または２で使用したものと同じ符号を用いる。図１８は実施の形態３によるスクイジー７０とウォッシャー３４（含浸体は図示せず）を組み合わせたコンビスクイジーの構成部品を示す。ウォッシャー３４の構成は図５〜図７のウォッシャー３４と同じである。ただし、図１８のウォッシャー３４の長さは、図５〜図７（実施の形態１）のウォッシャー３４よりも短く、図１６〜図１７（実施の形態２）のウォッシャー３４の長さと同じである。ウォッシャー３４をスクイジー７０に取り付けるための手回し式ねじ４０も、実施の形態１，２で使用した手回し式ねじ４０と同じである。スクイジー７０については、バックプレート１４、ラバー２２が装着されたチャンネル１６、ナット２０が、図２のスクイジー１０の各対応するものと同じである。ただし、チャンネル１６の長さは図２（実施の形態１）のチャンネル１６よりも短く、図１５〜図１７（実施の形態２）のチャンネル１６の長さと同じである。ハンドル７４は実施の形態３に独自のものである。この独自のハンドル７４を使用するのに伴い、スクイジー７０を組み付けるためのねじ７６は図２のねじ１８よりも軸が長いものが使用される。
【００３２】
ハンドル７４の構造を図１９Ａ（背側から見た状態）、図１９Ｂ（腹側から見た状態）に拡大して示す。ハンドル７４はここではプラスチックの一体成形品で構成したものを示すが、金属で構成することもできる。ハンドル７４は、前端側のハンドルヘッド７４ａと、後端側の把持部７４ｂを有する。ハンドルヘッド７４ａは、バックプレート１４を収容する凹所７４ｃの前端側に、凹所７４ｃの左右両側方に張り出した領域（すなわちバックプレート１４と重ならない領域）７４ｄ，７４ｄを有する。領域７４ｄ，７４ｄの背側には、凹部７４ｅ，７４ｅがそれぞれ形成されている。各凹部７４ｅ，７４ｅの中央にはウォッシャー取付部を構成するねじ通し穴７４ｆ，７４ｆが形成されている。ハンドルヘッド７４ａの背側には、ねじ通し穴７４ｆ，７４ｆに挟まれた位置に凹部７４ｇ，７４ｇが形成されている。各凹部７４ｇ，７４ｇの中央にはねじ通し穴７４ｈ，７４ｈがそれぞれ形成されている。ねじ通し穴７４ｈ，７４ｈは、バックプレート１４のねじ通し穴１４ａ，１４ａに連通する位置にそれぞれ形成されている。ハンドルヘッド７４ａの腹側の凹所７４ｃにバックプレート１４を収容し、ハンドルヘッド７４ａとバックプレート１４の間の前端部にチャンネル１６を挟み込み、２本のねじ７６をハンドル７４の背側からねじ通し穴７４ｈ，１４ａに順次差し込み、バックプレート１４の腹側に突出したねじ７６の端部にそれぞれナット２０をねじ込んで締め付けることにより、ハンドル７４とバックプレート１４は相互に連結され、かつハンドルヘッド７４ａとバックプレート１４の間の前端部にチャンネル１６が挟持されて、ハンドル７４とバックプレート１４とチャンネル１６は組み立てられて分解可能に一体化される。これにより、図２０Ａ（背側から見た状態）、図２０Ｂ（腹側から見た状態）に示すスクイジー７０が構成される。スクイジー７０は、このままウォッシャー３４を取り付けずに、スクイジー単体具として窓ガラスの水切りに使用することができる。
【００３３】
図２０Ａ、図２０Ｂのスクイジー７０のスクイジーヘッド７０ａには、図１８のウォッシャー３４を、背側および腹側のいずれの側にも着脱自在に取り付けることができる。このうち、背側に取り付ける手順は次のとおりである。スクイジー７０のスクイジーヘッド７０ａの背側にウォッシャー３４を配置する。このときウォッシャー３４の雌ねじ付きリベット４８，４８の先端部はハンドルヘッド７４ａの凹部７４ｅ，７４ｅに収容されて位置決めされる。スクイジー７０の腹側から、手回し式ねじ４０，４０をねじ通し穴７４ｆ，７４ｆに差し込み、雌ねじ付きリベット４８，４８にねじ込んで締め付ける。これでウォッシャー３４はスクイジー７０のスクイジーヘッド７０ａの背側にがたつきなく取り付けられる。図２１Ａ（背側から見た状態）、図２１Ｂ（腹側から見た状態）はこのようにして構成されたコンビスクイジー７８を示す（含浸体を外した状態で示す）。また、腹側に取り付ける手順は次のとおりである。スクイジー７０のスクイジーヘッド７０ａの腹側にウォッシャー３４を配置し、スクイジー７０の背側から、手回し式ねじ４０，４０をねじ通し穴７４ｆ，７４ｆに差し込み、雌ねじ付きリベット４８，４８にねじ込んで締め付ける。これでウォッシャー３４はスクイジー７０のスクイジーヘッド７０ａの腹側にがたつきなく取り付けられる。図２２Ａ（背側から見た状態）、図２２Ｂ（腹側から見た状態）はこのようにして構成されたコンビスクイジー８０を示す（含浸体を外した状態で示す）。
【００３４】
《実施の形態４》
この発明の実施の形態４を説明する。この実施の形態は、独立したウォッシャー取付部品を使用するのに代えて、スクイジーのバックプレートを構成する部品自体にウォッシャー取付部を構成したものである。実施の形態１または２または３と共通する部分には、実施の形態１または２または３で使用したものと同じ符号を用いる。図２３は実施の形態４によるスクイジー８２とウォッシャー３４（含浸体は図示せず）を組み合わせたコンビスクイジーの構成部品を示す。ウォッシャー３４の構成は図５〜図７（実施の形態１）のウォッシャー３４と同じである。ただし、図２３のウォッシャー３４の長さは、図５〜図７（実施の形態１）のウォッシャー３４よりも短く、図１６〜図１７（実施の形態２）、図２１〜図２２（実施の形態３）のウォッシャー３４の長さと同じである。ウォッシャー３４をスクイジー８２に取り付けるための手回し式ねじ４０も、実施の形態１，２，３で使用した手回し式ねじ４０と同じである。スクイジー８２については、ハンドル１２、ラバー２２が装着されたチャンネル１６、ねじ１８、ナット２０が、図２のスクイジー１０の各対応するものと同じである。ただし、チャンネル１６の長さは図２（実施の形態１）のチャンネル１６よりも短く、図１５〜図１７（実施の形態２）のチャンネル１６および図２０〜図２２（実施の形態３）のチャンネル１６の長さと同じである。バックプレート８４は実施の形態４に独自のものである。
【００３５】
バックプレート８４の構造を図２４Ａ（スクイジー８２の背側すなわちハンドルヘッド１２ａに対面する側から見た状態）、図２４Ｂ（腹側から見た状態）に拡大して示す。バックプレート８４はここではステンレス等の金属板で構成されている。バックプレート８４はその前端側に、ハンドルヘッド１２ａよりも左右両側方に張り出した領域（すなわちハンドルヘッド１２ａと重ならない領域）８４ａ，８４ａを有する。領域８４ａ，８４ａには、ウォッシャー取付部を構成する雌ねじ無しリベット８６，８６がスクイジー８２の背側すなわちハンドルヘッド１２ａに対面する側に突出した状態でそれぞれ配置されている。バックプレート８４には、雌ねじ無しリベット８６，８６に挟まれた位置にねじ通し穴８４ｂ，８４ｂがそれぞれ形成されている。ねじ通し穴８４ｂ，８４ｂは、ハンドルヘッド１２ａのねじ通し穴１２ｃ，１２ｃに連通する位置にそれぞれ形成されている。ハンドルヘッド１２ａの腹側にバックプレート８４を配置し、ハンドルヘッド１２ａとバックプレート８４の間の前端部にチャンネル１６を挟み込み、２本のねじ１８をハンドル１２の背側からねじ通し穴１２ｃ，８４ｂに順次差し込み、バックプレート８４の腹側に突出したねじ１８の端部にそれぞれナット２０をねじ込んで締め付けることにより、ハンドル１２とバックプレート８４は相互に連結され、かつハンドルヘッド１２ａとバックプレート８４の間の前端部にチャンネル１６が挟持されて、ハンドル１２とバックプレート８４とチャンネル１６は組み立てられて分解可能に一体化される。これにより、図２５Ａ（背側から見た状態）、図２５Ｂ（腹側から見た状態）に示すスクイジー８２が構成される。スクイジー８２は、このままウォッシャー３４を取り付けずに、スクイジー単体具として窓ガラスの水切りに使用することができる。
【００３６】
図２５Ａ、図２５Ｂのスクイジー８２のスクイジーヘッド８２ａには、図２３のウォッシャー３４を、背側および腹側のいずれの側にも着脱自在に取り付けることができる。このうち、背側に取り付ける手順は次のとおりである。スクイジー８２のスクイジーヘッド８２ａの背側にウォッシャー３４を配置する。このときウォッシャー３４の雌ねじ付きリベット４８，４８の先端を雌ねじ無しリベット８６，８６の先端に突き当てて、雌ねじ付きリベット４８，４８と雌ねじ無しリベット８６，８６の両中空部を連通させる。スクイジー８２の腹側から、手回し式ねじ４０，４０を雌ねじ無しリベット８６，８６に差し込み、雌ねじ付きリベット４８，４８にねじ込んで締め付ける。これでウォッシャー３４はスクイジー８２のスクイジーヘッド８２ａの背側にがたつきなく取り付けられる。図２６Ａ（背側から見た状態）、図２６Ｂ（腹側から見た状態）はこのようにして構成されたコンビスクイジー８８を示す（含浸体を外した状態で示す）。また、腹側に取り付ける手順は次のとおりである。スクイジー８２のスクイジーヘッド８２ａの腹側にウォッシャー３４を配置する。このときウォッシャー３４の雌ねじ付きリベット４８，４８の先端をバックプレート８４の腹側の面に露出している雌ねじ無しリベット８６，８６の基端に突き当てて、雌ねじ付きリベット４８，４８と雌ねじ無しリベット８６，８６の両中空部を連通させる。スクイジー８２の背側から、手回し式ねじ４０，４０を雌ねじ無しリベット８６，８６に差し込み、雌ねじ付きリベット４８，４８にねじ込んで締め付ける。これでウォッシャー３４はスクイジー８２のスクイジーヘッド８２ａの腹側にがたつきなく取り付けられる。図２７Ａ（背側から見た状態）、図２７Ｂ（腹側から見た状態）はこのようにして構成されたコンビスクイジー９０を示す（含浸体を外した状態で示す）。
【００３７】
《図１０Ａ、図１０Ｂのコンビスクイジー５３の変形例》
図１０Ａ、図１０Ｂのコンビスクイジー５３の変形例を図３０に示す。このコンビスクイジー５３’は、図１０Ａ、図１０Ｂのコンビスクイジー５３のスクイジー10-1とウォッシャー３４の間の距離を調整可能にしたものである。図３０は、コンビスクイジー５３について図２９に示した端面（図１０ＡのII−II矢視端面）と同じ矢視位置におけるコンビスクイジー５３’の端面を示す。図２９と図３０を対比してわかるように、コンビスクイジー５３’は、コンビスクイジー５３の手回し式ねじ４０に代えて、長尺のねじ９２、蝶ナット９４、コイルばね９６を配置している。ねじ９２はウォッシャー３４の雌ねじ付きリベット４８に基端側からねじ込まれて固定されている。ねじ９２の軸部は雌ねじ付きリベット４８の先端から長く突出している。ねじ９２の突出した軸部は、ウォッシャー取付部品２４の雌ねじ無しリベット３２を挿通してプレート２８の面２８Ａ側に突出している。この面２８Ａ側に突出したねじ９２の軸部に蝶ナット９４がねじ込まれている。ウォッシャー３４の支持台４２のベース部４２ａとウォッシャー取付部品２４との間には、ねじ９２および雌ねじ付きリベット４８および雌ねじ無しリベット３２を包囲して、ねじ９２と同軸に、コイルばね９６が圧縮状態に挟み込まれている。以上の構成により、左右の蝶ナット９４，９４を均等に回すと、コイルばね９６は伸縮して、支持台４２のベース部４２ａとウォッシャー取付部品２４は、平行状態を保って、両者間の距離が変化し、その結果スクイジー10-1とウォッシャー３４の間の距離が調整される。このようにして、コンビスクイジー５３’の使用者は、スクイジー10-1とウォッシャー３４の間の距離を自分の使いやすい状態に調整して、ウォッシャー３４によるウォッシングとスクイジー10-1による水切りを同時に行う使用モードを使うことができる。コイルばね９６に強いばねを使えば、ガラス面を押す強さに関わらずスクイジー10-1とウォッシャー３４の間の距離を、調整した距離に保ってウォッシングを行うことができる。逆に、コイルばね９６に弱いばねを使えば、ガラス面を押す強さに応じてスクイジー10-1とウォッシャー３４の間の距離を微妙に変化させながらウォッシングを行うといった使い方も可能となる。
【００３８】
なお、前記各実施の形態では、ウォッシャー取付部（雌ねじ無しリベット３２，６６，８６、ねじ通し穴７４ｆ）にねじ通し穴を配置し、ウォッシャーに雌ねじ（雌ねじ付きリベット４８）を配置して、ねじ（手回し式ねじ４０）をウォッシャー取付部のねじ通し穴に挿通してウォッシャー雌ねじにねじ込むことによりウォッシャーをスクイジーに取り付けるようにしたが、これとは逆に、ウォッシャーにねじ通し穴を配置し、ウォッシャー取付部に雌ねじを配置して、ねじをウォッシャーのねじ通し穴に挿通してウォッシャー取付部の雌ねじにねじ込むことによりウォッシャーをスクイジーに取り付けることもできる。あるいは、ウォッシャー取付部とウォッシャーの両者に共にねじ通し穴を配置し、ねじを両ねじ通し穴に挿通して、該ねじ通し穴から露出したねじの端部にナットをねじ込むことによりウォッシャーをスクイジーに取り付けることもできる。
【符号の説明】
【００３９】
１０，10-1，10-2，10-3，７０，８２…スクイジー、１０ａ，７０ａ…スクイジーヘッド、１２…ハンドル、１２ａ，７４ａ…ハンドルヘッド、１２ｂ，７４ｂ…把持部、１４…バックプレート、１６…チャンネル、２２…ラバー、２４，６０…ウォッシャー取付部品、２４ｃ，６０ａ…張り出し部、３０…雌ねじ付きリベット（スクイジー取付部）、３２，６６，８６…雌ねじ無しリベット（ウォッシャー取付部）、３４…ウォッシャー、５１，５３，５３’，５５，５７，６１，６３，７８，８０，８８，９０…コンビスクイジー（ウォッシャー付きスクイジー）、６４…ねじ通し穴（スクイジー取付部）、７４…ハンドル（ウォッシャー取付部品）、７４ｆ…ねじ通し穴（ウォッシャー取付部）、８４…バックプレート（ウォッシャー取付部品）
【図１Ａ】
0006636322.tif 000002
【図１Ｂ】
0006636322.tif 000003
【図２】
0006636322.tif 000004
【図３Ａ】
0006636322.tif 000005
【図３Ｂ】
0006636322.tif 000006
【図４】
0006636322.tif 000007
【図５】
0006636322.tif 000008
【図６】
0006636322.tif 000009
【図７】
0006636322.tif 000010
【図８Ａ】
0006636322.tif 000011
【図８Ｂ】
0006636322.tif 000012
【図９Ａ】
0006636322.tif 000013
【図９Ｂ】
0006636322.tif 000014
【図１０Ａ】
0006636322.tif 000015
【図１０Ｂ】
0006636322.tif 000016
【図１１Ａ】
0006636322.tif 000017
【図１１Ｂ】
0006636322.tif 000018
【図１２Ａ】
0006636322.tif 000019
【図１２Ｂ】
0006636322.tif 000020
【図１３Ａ】
0006636322.tif 000021
【図１３Ｂ】
0006636322.tif 000022
【図１４】
0006636322.tif 000023
【図１５Ａ】
0006636322.tif 000024
【図１５Ｂ】
0006636322.tif 000025
【図１６Ａ】
0006636322.tif 000026
【図１６Ｂ】
0006636322.tif 000027
【図１７Ａ】
0006636322.tif 000028
【図１７Ｂ】
0006636322.tif 000029
【図１８】
0006636322.tif 000030
【図１９Ａ】
0006636322.tif 000031
【図１９Ｂ】
0006636322.tif 000032
【図２０Ａ】
0006636322.tif 000033
【図２０Ｂ】
0006636322.tif 000034
【図２１Ａ】
0006636322.tif 000035
【図２１Ｂ】
0006636322.tif 000036
【図２２Ａ】
0006636322.tif 000037
【図２２Ｂ】
0006636322.tif 000038
【図２３】
0006636322.tif 000039
【図２４Ａ】
0006636322.tif 000040
【図２４Ｂ】
0006636322.tif 000041
【図２５Ａ】
0006636322.tif 000042
【図２５Ｂ】
0006636322.tif 000043
【図２６Ａ】
0006636322.tif 000044
【図２６Ｂ】
0006636322.tif 000045
【図２７Ａ】
0006636322.tif 000046
【図２７Ｂ】
0006636322.tif 000047
【図２８】
0006636322.tif 000048
【図２９】
0006636322.tif 000049
【図３０】
0006636322.tif 000050